(57)【要約】【課題】本発明が解決しようとする課題は、従来の切手水付け具が、吸水体としてスポンジを使用することが、容器に入れた水が多すぎると、切手につく水が多くなりすぎ、また容器に入れた水が少ないと、頻繁に吸水しなければ成らないという問題を解決することである。【解決手段】凹型に上部へ開口した水容器の内面に、吸水体をいれ、吸水体の底面を保持する底板の２ケ所に対になる細長な挿入口を設け、水を吸う部分と、水を吸わない部分を接続した補水帯を、挿入口に通し、底板を挟んで上下に環状なるように設け、水を吸う部分の下部は底板の下に、上部は吸水体に接するように取り付け、吸水体に接する長さを大、中、小の三段階にすることによって、吸水体の水量を加減するように取り付けた切手水付け具の課題を解決する手段として提供する。【選択図】      図１
2004175087.tif 000002
【特許請求の範囲】
【請求項１】
凹型に上部へ開口した水容器の内面に吸水体を入れ、吸水体の底面を保持する底板の２ケ所に対になる細長な挿入口を設け、水を吸う部分と水を吸わない部分を接続した補水帯を挿入口に通し、底板を挟んで上下に環状になるように設け、環状の補水帯の下部は、水容器の水中にあり、上部は吸水体に接するように取り付けた切手水付け具。
【請求項２】
吸水体としてスポンジを使用し、吸水体に補水する方法として補水帯を使用する。補水帯は水を吸う部分として、適宜の長さと幅の布を使用し、布の先端は長さを３段階に設定する。水を吸わない部分として、適宜の長さと幅のビニールを使用した請求項１記載の切手水付け具
【請求項３】
吸水体の上部から両端面にかけて表面を曲面状にする請求項１記載の切手水付け具。
【請求項４】
吸水体の一隅、底板上に、小さい吸水体を内蔵した箱状枠を取り付け、その箱状枠の一側面を開口し、その開口部分から外側へ吸水体を突出させた構造の、水付けユニットを設置し、該ユニットの吸水体の接面と本体吸水体の接面とを、接するように設置した構造を持つ、請求項１記載の切手水付け具。
【請求項５】
水付けユニットの下部、吸水体の底板の一角に注水口を開口する構造の請求項１記載の切手水付け具。
【発明の詳細な説明】
【０００１】
【発明の属する技術分野】
本発明は、切手等の糊面に水を付ける、切手水付け具に関する。
【０００２】
【従来の技術】
従来の切手水付け具は、水容器に回転可能な車輪をいれて、下部を水中に、上部を水面上になるように取り付け、車輪の回転によって、輪部に水を付け、これに切手の糊面を当てて、水を付けていた。（現在郵便局で使用中）
また凹型に上部に開口した水容器内にスポンジを入れ、スポンジの下部に水を入れて、スポンジの上部表面まで浸透させ、水で湿ったスポンジ表面に切手の糊面を触れて水を付けていた。（例えば特許文献２参照）
【０００３】
【特許文献１】特開平７−３１４９９３号広報
【特許文献２】実用新案公開６２−３７９２広報
【０００４】
【発明が解決しようとする課題】
従来の郵便局で使用している切手水付け具は、水を付ける際、往々にして、切手が車輪に付着したまま回転してしまい、切手が水容器に落ち込んでしまう欠点があった。また容器にスポンジと水を入れ、スポンジの表面に、切手の糊面を触れて水を付ける方法は、容器に入れた水が多すぎると、切手に付く水が多くなり過ぎ、また容器に入れた水が少ないと、頻繁に水を補給しなければならないという欠点があった。本発明が解決しようとする課題は、吸水体としてスポンジを使用する際の問題点を改善することである。
【０００５】
【課題を解決するための手段】
切手の糊面に適量な水をつけるため、水容器から吸水体へ補水する水量の調節は、水を吸う部分と、水を吸わない部分から成る補水帯を環状にし、環状の補水帯を回転させ、吸水体に接する補水帯の水の浸透する部分の先端の長さを、３段階に設定し、これを調節することによつて水の量を調節する切手水付け具、これを課題を解決するための手段として提供する。
【０００６】
【発明の実施の形態】
本発明の切手水付け具は、上部に開口した水容器内の、吸水体の底板の二箇所に、対にしてなる細長の挿入口を設け、水を吸う部分と水を吸わない部分を接続した補水帯を挿入口に通し、底板を挟んで上下に環状に動くように設け、補水帯の水を吸う部分の下部は、水容器の水中にあり、上部は吸水体に接するように取り付けた構造である。
【０００７】
図によって実施例を説明する。
図における、本発明の切手水付け具の一実施例は、凹型に上部へ開口した、水容器１の内面に、吸水体２を入れ、吸水体２の底面を保持する底板３の２ケ所に対になる細長な挿入口４を設け、水を吸う部分６と水を吸わない部分７を接続した補水帯５を挿入口に通し、底板を挟んで上下に環状になるようにする。環状の補水帯５の水を吸う部分６の下部は、水容器１の水中にあり、上部は吸水体２に接するように取り付けた構造である。この切手水付け具を使用する時、水容器１に水を注入すると補水帯の水を吸う部分６の下部に浸透し、毛細管現象によって補水帯６の上部に浸透する。補水帯６の上部に浸透した水は、吸水体２に浸透する。吸水体２に浸透する水の量の調節は、環状になった補水帯の水を吸う部分６の、吸水体２に接する布の長さを長、中、短の３段階にし、６−１は小量、６−２は中量、６−３は大量として、浸透する水の量を調節することができる。
【０００８】
一実施例として、吸水体としてスポンジを使用し、吸水体に補水する補水帯の水を吸う部分として、適宜の長さと幅の布を使用し、水を吸わない部分として適宜の長さと幅のビニールを使用する。
【０００９】
一実施例として、吸水体上部の中央から、両端面にかけて、表面を曲面状にする。この切手水付け具を使用する時は、切手を手に持って、切手の糊面を吸水体の曲面状になった表面に接触させることによって、切手の糊面に水が付く。切手から手を離した場合、切手はスポンジから離れて水平になり、手をほとんど濡らすことなく、切手に水を付けることができる。
【００１０】
図２における切手水付け具の一実施例は、小さい吸水体９を内蔵した箱状枠８の一側面を開口し、箱状枠の開口部分から外側へ吸水体を突出させた突出吸水体９の接面１１を、吸水体２の接面１０に接着させ、この箱状枠を着脱自在に定置した構造である。
水付けユニットを使用して、５枚、１０枚と長く連続した切手を貼付する場合は、吸水体枠の一角から水付けユニットを取り外し、突出吸水部の接面１１の水を連続切手の糊面に塗る。連続切手の一枚を葉書面等に貼付した後、連続切手のミシン目にあわせ、角１３よってミシン目を押さえ、連続切手の端を引っ張ることによって、ミシン目を切断することができる。この動作を繰り返す事によって５枚、１０枚と連続した切手を、一枚づつ容易に貼付することができる。
【００１１】
水付けユニットを装着した下部の吸水体底板３の一面に注水口１２を設ける。水容器１に水を入れる場合は、水付けユニットを取り外し、注水口１２から水容器へ注水する。
【００１２】
【発明の効果】
吸水体に浸透する水量は、吸水体に接する補水帯の布の部分の、長さの調節によって加減することができる。
また吸水体の上面が曲面状になっているので、手をほとんど濡らすことなく、切手に水を付けることができる。
【００１３】
さらに水付けユニットを使用して、連続切手を貼付する場合、水付けユニットの接面１１によって連続切手の糊面に水を塗布することができる。
連続切手をミシン目から切断する場合は、水付けユニットの角１３を使用して切手を貼っては切ることができる。
【図面の簡単な説明】
【図１】本発明の一実施例を示す分解斜視図である。
【図２】本発明の水付けユニットを吸水体側面の一角に装着する実施例を示す外観斜視図である
【符号の説明】
１  水容器
２  吸水体
３  底板
４  挿入口
５  補水帯
６  補水帯の水を吸う部分
６−１  補水帯の水を吸う部分の長
６−２  補水帯の水を吸う部分の中
６−３  補水帯の水を吸う部分の短
７  補水帯の水を吸わない部分
８  箱状枠
９  水付けユニツトの吸水体
１０  吸水体の接面
１１  水付けユニットの吸水体接面
１２  注水口
１３  水付けユニットの角
【図１】
2004175087.tif 000003
【図２】
2004175087.tif 000004